(57)【要約】【課題】  冷蔵庫の野菜室において、光を照射して保存性能を高める場合、蛍光灯や、６６０ｎｍ波長の赤色ＬＥＤを使用したり、扉開閉検知手段による点灯消灯制御を行っていたり、上方からの光照射によっていた。【解決手段】  温かみのある橙色ＬＥＤを用いて背面より照射する構造をとり、また、ＬＥＤはそれぞれ点灯時間と消灯時間を持つことで延命するので扉開閉検知手段を設置する必要がなく、更に複数のＬＥＤの点灯消灯の動作を個別にあるいはグループごとに制御して間欠的に行うなど、効率の良い光合成を達成できる光照射装置を有する冷蔵庫が得られる。【選択図】        図４
2006017443.tif 000002
【特許請求の範囲】
【請求項１】
冷蔵庫内奥側に配置され主として温かみを与える波長の光を照射する複数の光源と、前記複数の光源の個々の点灯消灯を制御可能な冷蔵庫本体に設けられた制御装置と、を備えたことを特徴とする冷蔵庫。
【請求項２】
冷蔵庫内奥側に配置され主として温かみを与える波長の光を照射する複数の光源と、前記冷蔵庫内に配置され食品を収納可能な収納容器と、前記収納容器に設けられ前記光源からの光をさえぎる遮光部と、を備え、前記収納容器内に光を照射する個所と光を照射しない個所を有することを特徴とする冷蔵庫。
【請求項３】
前記光源を半導体発光素子とし、約５９０−６００ｎｍ前後の可視光線領域波長を出力する黄色もしくは橙色系の光を単独にて、または他の色を組み合わせて発光させることを特徴とする請求項１または２に記載の冷蔵庫。
【請求項４】
前記冷蔵庫内に配置され食品を収納可能な収納容器を複数設け、前記光源からの光を前記収納容器の特定位置へ照射させて光を反射もしくは散乱させることを特徴とする冷請求項１乃至３のいずれかに記載の冷蔵庫。
【請求項５】
前記光源である半導体発光素子はあらかじめ設定された時間に点灯または消灯することを特徴とする請求項１乃至４のいずれかに記載の冷蔵庫。
【請求項６】
前記光源である半導体発光素子を複数のグループに分けて、前記光源をグループごとに点灯消灯を制御することを特徴とする請求項１乃至５のいずれかに記載の冷蔵庫。
【請求項７】
冷蔵庫運転中に前記光源である半導体発光素子の点灯する個数もしくはグループ数を制御することを特徴とする請求項１乃至６のいずれかに記載の冷蔵庫。
【請求項８】
冷蔵庫運転中に前記光源である全ての半導体発光素子が同時に消灯しないように制御することを特徴とする請求項１乃至７のいずれかに記載の冷蔵庫。
【請求項９】
冷蔵庫運転経過に伴い、同時に点灯する前記光源である半導体発光素子の個数もしくはグループ数を増やすことを特徴とする請求項５乃至８のいずれかに記載の冷蔵庫
【請求項１０】
前記光源である半導体発光素子の点灯する個数もしくは前記光源の通電率を制御することで、高照度の光で照射する時間帯と、弱照度の光で照射する時間帯を設けることを特徴とする請求項５乃至９のいずれかに記載の冷蔵庫。
【請求項１１】
冷蔵庫内奥側に配置され特定の波長の光を照射する複数の光半導体発光素子と、前記光半導体発光素子の内少なくとも一つを常に点灯するように設定される冷蔵庫本体に設けられた制御装置と、を備えたことを特徴とする冷蔵庫。
【請求項１２】
霜取り中とその後数時間は照射する光の照度を強くすることを特徴とする請求項１乃至１１のいずれかに記載の冷蔵庫。
【請求項１３】
前記光源である半導体発光素子を覆い光を通過させるとともに前記冷蔵庫内とは連通させずに冷気を遮断するカバーと、を備え、前記半導体発光素子および前記カバーを冷蔵庫本体に固定することを特徴とする請求項１乃至１２のいずれかに記載の冷蔵庫。
【請求項１４】
前記光源である半導体発光素子を点灯させる際、ちらつきを感じさせない速い周期で通電／遮断を繰り返すことを特徴とする請求項１乃至１３のいずれかに記載の冷蔵庫。
【請求項１５】
半導体発光素子の照度の低下もしくは運転経過時間に合わせて、通電／遮断の割合を調整可能とすることを特徴とする請求項１４記載の冷蔵庫。
【請求項１６】
冷蔵庫内に配置されそれぞれ特定の波長の光を照射する複数の光源と、前記複数の光源の点灯を制御することにより特定の時間帯に照射する光の照度を強くする冷蔵庫本体に設けられた制御装置と、を備え、前記複数の光源の照度制御は前記複数の光源の個数を制御するもしくは繰り返し通電を行う周期内の通電率変化させることを特徴とする冷蔵庫。
【請求項１７】
冷蔵庫内に配置され特定の波長の光を照射する複数の光源と、前記光源である半導体発光素子を覆い光を通過させるとともに前記冷蔵庫内とは連通させずに冷気を遮断するシールにより密閉されたカバーと、前記光源の点灯消灯を制御可能な様に冷蔵庫本体に設けられ、前記光源である半導体発光素子を個別に点灯消灯させる制御を行う制御装置と、を備えたことを特徴とする冷蔵庫。
【請求項１８】
冷蔵庫内もしくは冷蔵庫外に設けられた操作手段の操作により、光照射機能を停止することを特徴とする請求項１乃至１７のいずれかに記載の冷蔵庫。
【請求項１９】
冷蔵庫内もしくは冷蔵庫外に設けられた操作手段の操作により、前記光源から光照射を行う庫内の温度を変更可能に設定できることを特徴とする請求項１乃至１８のいずれかに記載の冷蔵庫。
【請求項２０】
冷蔵庫内を複数に区画された庫室を設け、０℃以上の冷蔵室温度、野菜室温度、および冷凍室温度に設定された庫室の少なくともいずれかひとつに前記光源を配置し、前記庫室に配置された光源からの光の照射方向と、前記庫室内を循環する冷気の動く正もしくは逆方向がほぼ同様な方向であることを特徴とする請求項１乃至１９のいずれかに記載の冷蔵庫。
【請求項２１】
冷蔵庫内もしくは冷蔵庫外に設けられた操作手段の操作により、前記光源である光照射する半導体発光素子を選択し、光の波長を選択することを特徴とする請求項１乃至２０のいずれかに記載の冷蔵庫。
【発明の詳細な説明】
【技術分野】
【０００１】
この発明は、冷蔵庫における野菜類などの食品保存に関する技術のものである。
【背景技術】
【０００２】
従来の冷蔵庫は、上方から赤色ＬＥＤで野菜を照射し野菜の鮮度を保持するなど貯蔵性を良くする技術が知られている（例えば、特許文献１参照）。また、白色蛍光灯を設け、その点灯制御を扉開閉を検知するスイッチで行ない、緑色野菜のクロロフィル低下を低減しようというものもある（例えば、特許文献２参照）。更に０℃以下の食品の未凍結温度に対しＬＥＤ照射により呼吸作用や低温障害を調査した報告がある（例えば、特許文献３参照）。
【０００３】
【特許文献１】特開２００２−２６７３４８号公報（００３６欄、図１，２など）
【特許文献２】特開平９−２８３６３号公報（００６欄、図１など）
【特許文献３】特開２００１−６１４５９号公報（００１１欄、００１２欄、００６９欄など）
【発明の開示】
【発明が解決しようとする課題】
【０００４】
従来の冷蔵庫は、第１に光は赤色ＬＥＤを使用するため、野菜の見た目が悪くなる、第２に扉開閉を認知し、点灯時間を制御するので、扉開閉認知手段が必要、第３に上方から光を照射するので下部に配置された収納容器内の食品を照射できない、第４に上方から照射するので、電気部品の配線が困難、第５に上方から照射したり扉が閉まっているときにのみ照射させると、家庭内や店頭にて光が点灯していることを確認しにくい等の問題点があった。家庭用冷蔵庫の場合、保存される野菜の種類は各種各様であるし、あるいは野菜以外の食品など多くの種類の食品を常に入れ替えながら、しかもどこに保存されるかを決めないで空いたところに放り込まれたり、重ねられたり詰め込まれたりするごとく、スペース、期間、状態などさまざまな保存の形態となる。更には冷蔵と冷凍の区分けだけで温度に無関係に保存されるケースもある。このような食品保存に対し要求され、且つ、必要なことは、どのような保存の形態でも光の照射による保存の効果があり、悪影響が無く、電力消費が少なく効率の良い冷蔵庫で、部品寿命が長くメンテナンスがほとんどいらないなどが重要であるが、白色蛍光灯の場合良い影響も悪い影響も分離できないし、赤色や青色などの特定の保存効果に都合の良い波長を選択して理想的な状態で試験をしても都合の悪い条件の保存が存在し必ずしも実用的な冷蔵庫が得られない、などの問題がある。
【０００５】
この発明は、上記のよう課題を解決するためになされたもので、本発明は野菜などの食品を見た目が悪くならず、各種の保存形態に対して効果的に食品を保存することができる冷蔵庫を得るものである。
【０００６】
また、本発明は少ない半導体発光素子（ＬＥＤ）を効果的に使用するので、使用寿命が長く効率の良い冷蔵庫を得るものである。
【０００７】
また、本発明は下部に設置された収納容器内など必要な個所に保存した食品にも光が照射でき、保存性の良い冷蔵庫を得るものである。
【０００８】
また、本発明は、ＬＥＤを維持しやすく、安価で組み立てやすく、無駄なエネルギーの少ない且つリサイクルのし易い冷蔵庫を得るものである。
【０００９】
また、本発明は、食品に悪影響の無い親しみやすい光を用い食品保存性のみならず庫内照明としても使用して食品保存性能を改善するものである。
【課題を解決するための手段】
【００１０】
この発明に係る冷蔵庫は、温かみを与える波長の光を照射する複数の光源と、各光源を個別に点灯制御を行う制御装置とを備えるものである。更にこの発明は光源からの光を照射する個所、照射しない個所を有する食品を収納する収納容器を備えたものである。
【発明の効果】
【００１１】
この発明の冷蔵庫は、光源を温かみのある光を照射する波長としたので、野菜などの食品の見た目を損なわずに栄養分を増加させ、庫内灯として利用できるという効果を有する。また、この発明の冷蔵庫の光源は、ＬＥＤを間欠照射させ、またその点灯をそれぞれのＬＥＤで交互などに制御し、ＬＥＤ寿命を延ばすことができるので効率が良い冷蔵庫が得られると言う効果を有する。
【発明を実施するための最良の形態】
【００１２】
実施の形態１．
図1はこの発明を実施するための実施の形態1における冷蔵庫の断面図、図２は同実施の形態による野菜室内部の概要図、図３は半導体発光素子であるＬＥＤの波長特性、図４は光照射装置の拡大断面図である。
【００１３】
図１において、１は冷蔵庫本体で、冷蔵庫１の最上部に開閉ドアを備えて配置される冷蔵室１００と冷蔵室１００の下方に冷凍温度帯（−１８℃）から冷蔵、野菜、チルド、ソフト冷凍（−7℃）などの温度帯に切り替えることの出来る引き出しドアを備える切替室４００、切替室と並列に引き出しドアを備える製氷室５００があり、最下部に配置される引き出しドアを備えた冷凍室２００と切替室、製氷室との間に引き出しドアを備えた野菜室３００とからで構成される。冷蔵室１００の扉上には各室の温度や設定を調節する操作スイッチと、そのときの各室の温度を表示する液晶などから構成される操作パネル５が設置されている。図１および図２に示すように野菜室３００には光透過性の無い材料からなる収納容器３０とその上部に設置された光透過性のある材料からなる第２の収納容器３１とが設置されており、野菜等の食品を収納することができる。非透過性の材料としては、白色のプラスチックやステンレスやアルミなどの金属を用いる。３２は光照射装置であり、図２に示すように第２の収納容器３１の背面に設置され、第２の収納容器の中央付近を中心に光を照射できるようになっている。光照射装置３２はは図３に示すような５９０ｎｍをピークにもち、５５０ｎｍから６２０ｎｍの範囲の波長を発光するＬＥＤ３４を４灯実装した基板などからなる。
【００１４】
図１において、１０は圧縮機、１１は冷却器であり、１２は冷却器１１により冷却された冷気を冷蔵室１００、冷凍室５００に送風するファン、１３は冷蔵室５００内への冷気量を調節するダンパー装置であり、１４は冷却器１１により冷却された冷気を冷蔵室１００内に導入するための風路である。光照射装置３2の点灯や消灯を制御する制御装置の基板２２は冷蔵庫背面の電気品室２１に収納され基板２２にも受けられたマイコンなどで制御が行われる。
【００１５】
図４において、光照射装置３２は実装基板３３と実装基板３３に併設する光源である半導体発光素子ＬＥＤ３４とＬＥＤ３４を保護する透過性のカバー３５からなる。ＬＥＤの指向性は一般的に高輝度なものほど狭くなる傾向があるので、冷蔵庫の振動によりその照射角度が変動しないように実装基板３５とカバー３５はネジで固定される。実装基板３３の裏面は回路のショートを防止するためにシール３６で覆う。また、光照射装置３２は野菜室３００の奥側の断熱部３７の手前に組み込まれ、ＬＥＤ３４の光が野菜室３００内に照射するように設置されるが、カバー３５内への露付きを防止するために、Ｏリング３８を挟み込むことにより密着度を上げ冷気を遮断し、実装基板３３の露付きや、水滴による光の乱反射を防止する。また、カバー３５は突起部３９を持ち、収納容器がカバー表面にぶつかることを阻止する形状をしており、カバー表面の傷つきによる光の乱反射や、実装基板３３、ＬＥＤ３４の破壊、故障を防止する。このカバー表面の衝突防止は製造途中のカバー３５の取り扱い、使用中の収納容器着脱などさまざまな場面を想定して突起部３９を設けている。
【００１６】
また、光照射装置を野菜室である冷蔵庫内の奥側、特に背面に設置することで、ファンやダンパ、その他の電気部品と近づけることができるので、配線しやすく、安価に作ることができる。また庫内を冷気循環させる場合吹出し口や吸い込み口を奥側に設けるので庫内を奥から前側に光の照射する方向と冷気を動かす方向、すなわち冷気を吹出させたり吸い込んだりする方向が一致することになる。収納容器の無い冷蔵室、あるいは収納容器を設ける野菜室など、冷蔵庫では食品を詰め込まれた場合でも冷気を通しやすい構造とすることが多く、この冷気の噴出しや吸い込み方向と一致させることにより光の照射が全体に通しやすくなる。また庫内照明を奥側に配置することでドア開時に庫室の内部が見やすくなる。
【００１７】
また、ユーザにとって、上方や側面に設置しいているよりも、点灯の様子を確認しやすいので、店頭での商品アピールや、家庭での点灯確認をしやすい。更に背面側の断熱材構造は庫室を仕切る仕切り板より比較的強固でありＬＥＤに加わる振動が小さくより信頼性をあげることができる。
【００１８】
図５は可視光線の吸収波長とその色を表にしたものである。図６は単位エネルギーあたりの植物の成長の効果を波長別に示したものである。ＬＥＤ３４は可視光線領域波長を発光するものであり、可視光線には図５に示すように最も短い波長の紫から青、緑、黄、橙、最も長い波長の赤迄ある。また、植物は基本的には光合成で生育するが、それ以外に種子発芽、花芽分化、開花、子葉の展開、葉緑素合成、筋間伸長などの植物の質的な変化である光形態形成を行い、その際蓄えた養分をエネルギー源とする。その中でも発芽や開花など野菜保存にふさわしくない光形態形成は図６に示すように、４７０ｎｍ近辺の青色光と６６０ｎｍ近辺の赤色光によって促進される傾向にある。また、一般的に葉緑素であるクロロフィルの吸収ピークも同様に青色光と赤色光が最も大きく、緑、黄の光の割合は小さい。一方、図６に示すように、光合成のエネルギー効率は赤が最も高く短波長になるほど低くなる。したがって、可視光線領域において光合成速度に効果的な色は、第一に赤、第２に青であり、その他の色は長波長の方が効果的な傾向にある。しかし、青色光近辺は発芽や開花をも促進させてしまうので、野菜の長期保存を目的とする場合にはふさわしくない。
【００１９】
次に、光合成反応について説明する。光合成反応を化学式で表すと
６CＯ2  ＋  １２Ｈ2Ｏ  ＋  688kcal  →  C6Ｈ１２Ｏ6  ＋  ６Ｈ2Ｏ  ＋  ６Ｏ2
（ＣＯ2：二酸化炭素、Ｈ2Ｏ：水、688kcal：光エネルギー、Ｃ6Ｈ12Ｏ6：ブドウ糖）
となり、その反応は光エネルギーを利用する明反応と利用しない暗反応とに区分される。明反応は太陽の光エネルギーを化学エネルギーに変える反応であり、この段階では二酸化炭素は利用されず、クロロフィルなどの色素が光エネルギーを使って水を水素と酸素に分解し、酵素タンパク質の働きで化学エネルギーを蓄える。一方、暗反応では明反応でできた水素と大気中の二酸化炭素を使ってブドウ糖を合成する。また、ブドウ糖が増加した野菜はその貯蔵性が良くなったり、ブドウ糖からビタミンＣを生成したりする。
【００２０】
以上より、複数のＬＥＤを使用することで発熱を抑え、野菜等の蒸散を抑えることができ、ＬＥＤ３４を赤色ＬＥＤとすることで最も効果的に光合成を促進することができる。しかしながら、野菜の寒色系の色は赤色光によってくすんで見え、野菜の劣化がわかりにくかったり、赤色光は警告のイメージを持たせたりしてしまうので庫内の照明としては適さないので、波長ピークが５９０ｎｍ近辺の黄色光や６００ｎｍ近辺の橙色光などきつい赤色や物の色をくすませる寒色系でなく温かみのある色を採用し白熱灯に近い色で親しみのある効果が得られるＬＥＤとすることで、光合成の効果と照明としての効果を両方得ることができる。更に光合成の食品保存効果が図６のように得られる。図５に示すように黄色から橙色までの波長は５８０−６１０ｎｍでありこの範囲をピーク値として採用すれば温かみのある色が得られる。
【００２１】
また、赤色ＬＥＤと青色ＬＥＤを組み合わせる様に複数のＬＥＤを利用した光照射装置を構成することにより、クロロフィルの吸収ピークに合わせた光を照射することで、光合成をより効果的に行ってもよい。すなわち複数の色を同時に発光させて温かみのある色を得ると同時に個別に発光を行わせ個別の効果を得ることも可能である。なお単色発光のＬＥＤを組み合わせるだけでなくＬＥＤと蛍光体との組み合わせでも良い。
【００２２】
また、高輝度タイプのＬＥＤや拡散タイプのＬＥＤを使用することにより、ＬＥＤの個数を減らすことができ、光合成の効果、照明としての効果を得ながらも、安価に光照射装置３２を構成することができる。
【００２３】
また、図７は光照射装置の電気回路図を示し、図８はＬＥＤ３４の実装配置図であり、実装基板2個のＬＥＤ３４ａ、３４ｂを並列にした系統３４Ａと、ＬＥＤ３４ｃ、３４ｄを並列にした系統３４Ｂを2列並列に接続構成している。ＤＣ５Ｖ〜１２Ｖを印加し、３０ｍＡ程度の電流を流すことで、ＬＥＤ３４ａ、３４ｂ、３４ｃ、３４ｄを発光させるものである。電流値は３０ｍＡ程度と小さく安全である。また、３４Ａ、３４ＢのようにＬＥＤを２個で１系統構成し、図８のようにそれぞれの系統を上下に配置し、それぞれをマイコンによりその点灯、消灯を制御することによって、１系統のみ点灯すれば照射範囲内において約１００Ｌｘ、２系統点灯すれば約３００Ｌｘの照度を確保でき、ＬＥＤの寿命を延ばすことができるので、扉開閉を検知せずとも十分な寿命を確保することが可能である。また、複数のＬＥＤを系統としてすなわちグループ制御することにより、マイコンのポート数を減らすことができ、基板を簡素化する効果がある。図７に示すようにマイコンから信号を出力してオンオフを制御するトランジスタとＬＥＤに流す電流を設定する電流制限を行う抵抗をＬＥＤに直列に設けＬＥＤの点と上消灯などを制御する。この構成の、実際の基板の実装においては、抵抗を制御基板側に配置すれば、光照射装置３２の実装基板３３を小型化でき、野菜室内に配置しやすく、また、抵抗の発熱を抑えることができるので野菜の保存性能を向上する。一方、抵抗を光照射装置３２の実装基板側に配置すれば、故障などの際に点灯確認や不良箇所を発見しやすいなどの効果がある。なお点灯消灯の制御は２個と４個の組み合わせ例で説明したが最小１個ずつとし、多い方は８個や１２個などいくつでも良い。また、使用するＬＥＤの個数や必要な照度によっては印加電圧・電流を適宜選択すればよい。
【００２４】
保存した野菜のブドウ等の合成を促進することで、貯蔵性を向上し、ビタミンＣが増加した栄養成分に富んだ野菜にするには、光合成の暗反応も必要であるから、ＬＥＤを常に４灯点灯するのではなく、点灯時間や照度を制限することが必要である。この制限により、ＬＥＤの寿命を延ばし、光照射装置を交換不要とする効果もある。これにより無駄なエネルギーを使わずに効果的な食品保存が可能になる。
【００２５】
以上のように構成された冷蔵庫において、以下その動作を説明する。
【００２６】
図１の冷却器１１で冷却された冷気はファン１２により冷凍室２００内に送りこまれ、冷凍室は所定の温度約−１８℃に冷却される。一方、冷却器１１で冷却された一部は風路１４を通過し、ダンパ１３の開閉により制御され、冷蔵室１００、切替室４００、製氷室５００に送り込まれ、冷蔵室１００は所定の約３℃、切替室４００は設定に応じた温度、製氷室５００は−１８℃にそれぞれ冷却される。野菜室３００は野菜の蒸散を抑えるため、直接冷気を吹き込まず、野菜室３００上部の切替室４００及び製氷室５００、野菜室３００下部の冷凍室２００からの輻射を利用して所定の温度約５℃に間接冷却される。なお既に述べてきたように間接冷却でなく冷気を循環させる構造でも良いことは当然である。
【００２７】
図２のように野菜室３００内には収納容器３０と第２の収納容器３１が設置され、野菜室に野菜を収納する場合、主として光合成の効果が望まれるホウレンソウやコマツナなどの野菜は第２の収納容器に３２、暗所保存が望ましいジャガイモ、タマネギなどの根菜類は収納容器３１に、区分して収納する。第２の収納容器３０に収納された野菜類は第２の収納容器３１の背面にある光照射装置３２により光が照射される。その際、高輝度タイプのＬＥＤ３４を４灯用いれば約３００から４００Ｌｘ、２灯用いれば約１００から１５０Ｌｘ程度の光が照射される場所を作り出すことができる。一方、収納容器３０に収納した根菜類には光は非透過性材料により遮断されたり、あるいは収納容器３１に収納される食品によって妨害され直接光が照射されることはない。
【００２８】
図９は光照射装置の簡単な制御のフローチャート図、図１０は光照射の制御と野菜の光合成のタイムチャート図である。図９において、冷蔵庫本体１の電源投入後、ステップ４０にて制御基板のマイコンに記憶させた初期データに応じて、光２灯点灯のデータの場合はステップ４１にて光照射装置３２のＬＥＤ３４を２灯点灯し、光消灯のデータの場合はステップ４２にて光照射装置３２のＬＥＤ３４は点灯しない。
【００２９】
次にステップ４３で冷蔵庫が霜取り動作に入った場合、ステップ４４にてＬＥＤ３４を４灯点灯し、ステップ４５にてＬＥＤ４灯の照射をはじめて３時間経過後、ステップ４６に進み、制御基板のデータを受け、２灯点灯または、消灯する。ステップ４６はステップ４３霜取りに入る前の状態を記憶し、その状態と同様になるようにする。ステップ４３の霜取り動作は一日に１回入る制御になっているので、ステップ４３から４６の一連の制御を取ることで３００Ｌｘ以上の光を一日３時間照射する制御となる。
【００３０】
図１０において、ステップ４３霜取り動作をトリガーに、ＬＥＤ４灯点灯を行うことで、光を照射された野菜は光合成の明反応を起こし、３時間経過後２灯点灯または消灯に切り替えることで、光合成の暗反応を起こす。冷蔵庫における霜取り動作は、庫内を冷却する庫内の冷気が循環するとき冷気に含まれる水分が蒸発器である冷却器１１のフィンに固着するのでこの霜を除去する動作である。冷凍サイクルにおける蒸発器は圧縮機１０にて循環される冷媒が蒸発する際に熱交換器にて庫内の空気を冷やし、その際に庫内の空気に含まれる水分は冷却器のフィンに霜となって固着する。この霜を除去するために冷却器下部に設置されたヒータを作動させて、霜を蒸発させて除去する。このとき庫内のファン１２を停止させ、ダンパを閉じ各室へ冷気を吹き込んでいないが、冷気の吹き込みが遮断され、ヒータの熱漏洩により庫内の温度が上がることになる。０℃以下の様に温度が低い庫室内では温度が高いほど光合成作用が活発に起こるので霜取り動作のときに庫内の光源からの照射強度を高めることが有効である。更に霜取り動作は、一日のうち冷蔵室の扉開閉のパターンを記憶し、扉開閉の少ない時間帯を狙って行われるので、これらのあらかじめ設定された条件に応じて光源からの光の照射をおこなえばよい。更に冷凍室では庫内照明だけでなく紫外線との併用も有効である。なおここでは霜取り動作を光照射を制御する基準として説明したがドアの開閉を記憶させて時間を設定したり、あらかじめ深夜時間帯を設定してその時間帯だけ点灯させそれ以外の時間帯では消灯させることや、あるいは照度をアップするたとえば深夜の時間帯とそれ以外の時眼帯を設けるなどの時間基準を設けても良いことは当然である。この点灯と消灯のサイクルあるいは照度アップと照度ダウンのサイクルは１日１回である必要は無く野菜の栄養増強などの必要性に応じて設定すれば良い。
【００３１】
次に、冷蔵庫１００の扉に設置された操作パネル５の操作スイッチを操作することによって、ＬＥＤの点灯と消灯を切り替えることができる。ステップ４９にて操作パネルはスイッチ入力を受付け、ＬＥＤを点灯する場合は光という表示を点灯し、消灯する場合は光という表示を消灯し、制御基板に状態データを送信する。ステップ５０にて信号を受けた制御基板はそのデータに応じてＬＥＤ３４を２灯点灯または消灯する。スイッチ操作でＬＥＤの点灯、消灯を選択できるようにすることで、葉菜をあまり保存しないユーザが消灯させたり、葉菜があまり出回らなくなる冬の間はスイッチ操作で消灯させたりすることができる。
【００３２】
また、操作パネルは冷蔵庫の外に設置されているものに限らず、庫内に設置されているようなものでも良い。操作パネルから冷蔵庫の庫内照明を操作する指示を携帯電話などからインターネットを通して住居内に設けられているＩＣアダプターにて信号を変換し電灯線などの有線や無線などにて冷蔵庫内の制御装置に指令を伝えることでも良い。
【００３３】
また、ユーザが選択できる光照射の種類は点灯、消灯の２種類だけではなく、４灯点灯、2灯点灯、消灯の３段階制御とすれば、光合成効果を重視する場合は４灯に、扉開放時などの庫内灯としての役割のみを求める場合は２灯に、省エネルギーを重視する場合は消灯に設定すれば良い。また、４灯点灯、２灯点灯、消灯の３段階をそれぞれ野菜室の温度設定の強・中・弱に連動させれば、葉菜に適した温度環境である「強」、通常の野菜室に連続もしくは間欠的にして庫内灯が点灯し保存効果もある「中」、温度設定を高くするとともに証明を行わない省エネルギーの野菜室の「弱」と、野菜室全体で３種類の提案ができ、特別に光照射の設定を操作パネルに設けなくてすむので、操作パネルインターフェースの簡素化にもなる。また、操作パネルで設定できる「省エネモード」や「節電モード」に連動させて、ＬＥＤを消灯させても良い。
【００３４】
最後にステップ５３にてコンセントが抜かれたり、停電などにより冷蔵庫１自体の電源がリセットされたときは、そのときの状態を記憶し、再度電源が投入されたときはステップ４０に戻り、電源リセット前の状態から開始できるようにする。以上２点灯、４点灯、消灯で説明してきたが、１点灯ずつ増減させたり、３，４点灯などを１つのグループとして行っても良く、弱い照明であれば扉開閉に関係なく連続して照明しておけばよいなど、目的に応じた必要な照明を行えばよい。
【００３５】
以上のような制御で、４灯点灯時には光合成の明反応効果を得ることができ、２灯点灯時は光合成の暗反応の効果を得ることができる。また、点灯するＬＥＤは複数設けられたうちのそれぞれ交互に行うことで、ＬＥＤの寿命を延ばし、冷蔵庫の寿命の間は光照射装置の交換不要となり、更に背面に埋めこむことができるので、露付きを防止するために密閉度を上げることができ、またユーザが不用意に触れることを阻止し、故障し、また安全性を確保できる。また、光照射のタイミングは扉が閉じられているときに行わなくてはならないという考えではなく、以上のような制御を行うことで、扉開閉を認知せずに常時点灯しておけば良いので、扉開閉を認知する手段であるドアスイッチなどの部品を用いなくてすみ、システム自体を安価に、省エネルギーに構成することができる。もちろん扉開放時あるい扉閉鎖時の信号を持ってきて点灯消灯の切り替えや照度レベルの切り替えなどをマイコンの設定により自由に行えることは当然である。
【００３６】
また、定格値に対して少ない電流値で約１００Ｌｘを確保し、約３００Ｌｘ相当を確保できるよう電流値をあげるようにして、照度を制御してもよい。また、経年変化により、ＬＥＤ３４単体の輝度が落ちた場合は同時に点灯するＬＥＤの個数を増やして、照度を確保するような制御を行っても良い。
【００３７】
また、輻射冷却を利用した野菜室ではなく、他室と同様に冷気を吹き込む形式の冷蔵庫においては、霜取りの際に発生した水分を野菜室に吹き込めば、光合成に不可欠な水分を確保できるので、光合成を更に促進させることができる。冷気の循環と光源からの光照射はまったく無関係に行われる。すなわち冷気の循環は庫内の温度検出に応じてファン動作やダンパー動作に応じて必要なところに必要な冷気が送付される。一方光の照射は光合成としては強さのある照明を間欠的に、扉開放時などは連続的に弱い光源から照射される。更に野菜室などでは収納容器の周囲や上部などへ冷気を循環させているが、食品の方向には循環させる冷気量を少なくしている。この少ない冷気の循環により庫内に存在するニ酸化炭素が供給され光合成の暗反応が有効に行われる。
【００３８】
図１１はコマツナを３日保存したときのブドウ糖とビタミンＣの変化量を光の照度と1日における照射時間によって比較した試験結果のグラフである。縦軸は光を３日間照射せず（未照射）に保存したコマツナの３日後の各成分量を基準に、各条件下での各成分量をパーセント表示したものである。つまり、グラフ内の１００％のラインは、３日後の各成分量が未照射時と比較しても変わらない、同等であることを示す。図１１に示すとおり、結果６０は約２６０Ｌｘの光を一日3時間照射したときの３日後のコマツナの各成分の増加量を未照射時と比較したものであり、還元糖やビタミンが未照射時に比べ多かった。また、結果６１は約１００Ｌｘでの試験結果であるが、効果が落ちるものの、以上のような構成を取った場合に庫内灯としての役割は十分果たし、暗室において、保存食品の種類や銘柄たとえばペットボトル飲料や調味料、または野菜や果物を識別することは可能である。したがって、光合成の明反応を起こすには約３００Ｌｘを一日あたり３時間で十分であり、残りの２１時間は、明反応が少なくなる１００Ｌｘ以下、あるいは消灯により暗反応を起こせば良い。その試験結果が図１１結果６２である。
【００３９】
図１２はこの発明を実施するための他の野菜室の斜視図、図１３はその断面図である。図２では、収納容器３０を非透過材料、第２の収納容器３１を透過材料で構成したが、図１２のように、第２の収納容器３１を非透過材料で構成し、その背面の光照射装置３２から光が照射する一部のみ透過材料で構成し、光透過窓４０を設けてもよい。その際収納容器３０の構成材料は透過、非透過は問わない。
【００４０】
以上のような構成を取ることによって、葉菜類を保存する第２の収納容器３１内に照射された光はその容器内の照射された個所で反射され、ＬＥＤの持つ光束をロスすることなく、野菜に当てることができ、収納容器３０に保存された食品への光の遮断性も更に良くなる。また、第２の収納容器３１の表面に凹凸をつければ、容器内で光が乱反射や散乱を起こすので、指向性の強いＬＥＤであっても、より広い範囲において光合成の効果を促すことが可能である。
【００４１】
図１４、図１５はこの発明を実施するための別の野菜室内の断面図である。図２では、収納容器３０を非透過材料、第２の収納容器３１を透過材料で構成したが、図１４のように、第２の収納容器３１を非透過材料で構成し、収納容器３０を透過材料で構成し、光照射装置３２もしくは実装基板３３に傾斜をつけることによって。収納容器３０内に光を照射し、第２の収納容器３１内へは光が遮断されるようにしてもよい。
【００４２】
以上のような構成を取ることによって、一般的にかさの大きい葉菜類を下部の収納容器３０に保存し、小さく細かいものが多く、光照射にはあまり適さない根菜類を上部の第２の収納容器３１に保存することができるのでより整理性が良くなる。また、図１５のように、光が照射する部分のみ透過材料で構成し、光透過窓４０を設けても同様の効果が得られる。またその場合は全面反射材料で包囲されるので、照射された光の効果を増大させる効果がある。
【００４３】
図１６はこの発明を実施するための別の野菜室内の斜視図である。図２などにおいては、光照射装置３２は第２の収納容器３１の平面に設置されていたが、図１６のように側面に配置してもよい。あるいは野菜室３００の上部の奥側に設け、更にこの光照射装置３２を傾けたり、ＬＥＤの向きを傾けて照射される光が容器３１の内部全体に届くように斜めに照射することで容器表面からの反射や更に容器表面に凹凸を設けたところからの反射により容器内で光が乱反射や散乱を起こすことを利用すると有効である。
【００４４】
以上のような構成を取ることによって、側面や上面奥側から発光された光は対するプラスチック材料からなる側面に反射するので、光を無駄なく照射し、野菜の保存性においては他の構造の収納容器以上の効果があり、扉を開けているときにも庫外へ光が逃げることがないので、庫内灯としての機能をより効率よく行い、また、店頭でのアピール効果を高めることが出来る。図１６では光源を側面であって奥行きに対しては中央部に設けた説明をしているが庫内照明や光合成作用にとっては中央部より奥側が反射させやすく望ましい位置である。
【００４５】
図１７は別の構造の冷蔵庫の外観図、図１８はその野菜室の断面図である。図１７において、１は冷蔵庫本体で、冷蔵庫１の最上部に中央からそれぞれ左右に開く2枚の開閉ドアを備えて配置される冷蔵室１００と、冷蔵室１００の下方に開閉ドアを備える製氷室５００と、製氷室５００の下方に開閉ドアを備えた冷凍室２００と、製氷室５００と冷凍室２００の隣に配置し、開閉ドアを備えた野菜室３００とからで構成される。図１８のように縦長に設けられた野菜室３００の中には引き出し型の収納容器で小さな果物やトマトの大きさに適した３１ａ、３１ｂ、葉菜などの中間の大きさの野菜に適した３１ｃ、ペットボトルや大きめの野菜の保存に適した３１ｄが上から配置されている。素子３２a、３２ｂ、３２ｃは光照射装置でそれぞれの収納容器に光を照射することができる。
【００４６】
以上のような構成をとることで、既に説明してきた光源による光照射と同様の効果を得ることができる。また、素子３２ｂだけを使用すれば、葉菜を収納容器３１ｃ、光照射に適さない根菜類を収納容器３１ａ、３１ｂに保存すれば、さまざまな種類の野菜保存にも対応できる。また、光照射装置３２を複数つける場合は黄色ＬＥＤで構成した光照射装置３２に加え、赤色ＬＥＤで構成した光照射装置３２、紫外線ＬＥＤで構成した光照射装置３２など色の違う光照射装置を設置し、光合成に適した葉菜類を赤色光のもとに、菌の繁殖を抑制したい食品を紫外線光のもとに、どちらともバランスよく効果のほしい食品は黄色光のもとに保存してもよい。このような複数の種類の異なる波長の光照射装置を常に点灯させるようにしても、霜取り時等に照度アップさせるなどの既に説明した制御内容と併用させればドア開放時の照明が可能で且つ視覚に与える悪い影響を抑えることが出来る。また、光照射装置３２単体内のＬＥＤ３４を複数種の色のＬＥＤ３４たとえば赤や青など異なった色のものでそれぞれ光照射装置３２を構成すれば、光照射装置単体でも複数の波長の光を発光することが可能になるので、野菜がさまざまな光形態形成を行うことを可能とし、光の色は赤色光単色よりも温かみを与えるものとなるので、製品としての見た目、保存した食品の見た目などが良くなる。以上説明してきた光源は実装基板３３に複数の光半導体であるLED素子を複数設け構造や配線を簡単化したが、1箇所の基板に1個のLED素子でも良いし、冷蔵庫の庫室に1個のLEDを配置する構成でも良い。すなわち野菜室の庫室奥側に約６００nm波長の素子1個を設け、常時弱照度の点灯状態として照明と栄養価の高い野菜保存対策兼用としたり、更に冷蔵室の下部奥側に約６００nm波長の素子1個を設け、常時弱照度の点灯としても良い。また霜取り中および霜取り後の所定時間は弱から強へ照度を上げるように印加電圧を制御することで夜間などの照射を増加させ更に還元糖を生成しビタミンなどを増加させる効果が得られる。あるいは紫外線を発光するＬＥＤ１個を庫室入り口側に配置して紫外線による脱色を嫌うペットボトルの飲み物を収納することの少ない冷凍室に設けても良い。この場合、常に点灯させたり、あるいは扉開放時は消灯させ、扉閉時に点灯させるなど殺菌対策が可能である。いずれにしろ紫外線や赤色光などは扉開時には直接目に受けたり単色で目にすることが無い。更に６００ｎｍなど他の波長のＬＥＤと組み合わせれば、自然界の光に近い温かみのある発光にて庫内のチェックができるため冷蔵庫使用者に食品を見たり手にとる際に違和感や心配になることが無く安心感を与えることができる。
【００４７】
上記までの説明では主として収納容器の構造で光源からの光を遮る遮光部や光を照射する個所しない個所について説明してきた。しかし、収納容器を設けない庫室、例えば棚を設けて食品を仕分けして収納する構造などがある。これらの収納部である各棚の構造に図２や図１２−１６の構造、例えば遮光部を設けても良い。例えば棚に光を透過する透明や網状の構造や透過しない部材を使用したり、棚の一部に光照射窓を設けたり、棚を光を散乱させるような構造にしても良い。なお図４の構成では光照射装置３２を風路１４の中に埋め込んで固定したが、図１９のように風路１４の外側に配置し、断熱部外側からネジ３９で固定しても良い。
【００４８】
以上のような構成をとっても、今までの説明と同様の効果を得ることができ、また、光照射装置３２は庫内壁面に取り付けられており交換の際あるいは除去する際に風路１４まで解体しなくてすむので、交換が容易にできるという効果があるし断熱部の断熱材と分離が容易で断熱材のリサイクルが簡単である。
【００４９】
本発明の光照射装置３２は野菜室３００に設置したが、冷蔵室１００、冷凍室２００、製氷室４００、切替室５００に設置してもよい。近年、野菜室の容量が足りなかったり、野菜室よりも温度の低いという理由で冷蔵室に野菜を保存することもあるので、同様の効果が得られる。また、どの室に設置しても庫内灯としての効果があり、また、間欠的で、短時間だけ使用する制御を行う場合、約６００ｎｍ波長以外のＬＥＤ、例えば紫外線などのＬＥＤを単独にてどのような室に用いるような場合でもビンやペットボトルのお茶やジュース類の色変化への影響も少ない上に、氷や保存食品の殺菌効果、シイタケなどにおいてはビタミンＤを増加する効果がある。
【００５０】
本発明は、異常説明のように野菜室内の一画に、主として野菜類を収納する収納容器を備え、収納容器の背面に光照射部を配置したものである。その収納容器に遮光部を備えることで光を照射する一画と光を照射しない一画を備えることが可能になる。
【００５１】
また本発明は、光照射部に備えた光源を半導体発光素子とし、波長ピークが約６００ｎｍ前後の可視光線領域波長を出力するアンバー系のＬＥＤとしたので、食品類への視覚効果が悪くならない。
【００５２】
また本発明は、光照射部の光源としてＬＥＤを複数個備え、ＬＥＤをそれぞれ一定時間ごとに点灯または消灯させたり、ＬＥＤをそれぞれ一定時間ごとに点灯または消灯し、冷蔵庫の運転中に全てのＬＥＤが同時に消灯しないように制御したり、数年使用後、ＬＥＤ単体の輝度が低下してきたら、同時に点灯するＬＥＤの個数を増やすことなどが可能で使いやすく、省エネルギー効果が大きい。またＬＥＤを複数のＬＥＤグループに分け、そのＬＥＤグループごとに制御すると構造が簡素化される。
【００５３】
また本発明は、ＬＥＤの点灯する個数を制御することで、１日のうち高照度の光で数時間程度照射する期間を設け、それ以外の期間を弱照度の光で照射することでより保存性、省エネルギーとも大きな効果が得られる。
【００５４】
また本発明は、冷蔵庫扉に設置した操作パネルやリモコン、冷蔵庫内の操作パネルあるいは通信を介した携帯電話などから冷蔵庫の運転などを操作することによって、例えば光照射機能を停止することができたり、庫室の温度設定と照明を同時に操作することができる。
【００５５】
また本発明は、霜取り中とその後数時間等のような特別な時間帯に照射する光の照度を強くすることで更に食品保存性能を高めることが可能である。
【００５６】
またこの発明に係る冷蔵庫は、背面より５９０ｎｍ−６００ｎｍ程度のピーク波長の光を照射する光照射装置と、照射域を限定するための遮光部と、その点灯制御とを備えるので、温かみのある光のため庫内照明として使用できる。また、収納容器の背面に設置し、あるいは側面や上面などの奥側から斜めに照射するように設置するので光が全体に照射されて野菜の見た目を損なわずに栄養分を増加させる。また、この発明の冷蔵庫の光照射装置は、ＬＥＤを間欠照射させたり、または複数設けてその点灯をそれぞれのＬＥＤで交互に行うよう制御し、ＬＥＤ寿命を延ばすことができる。
【００５７】
本発明は上記で説明してきたように、単色の発光体ダイオードを個別にあるいは組み合わせて複数用いて野菜その他の食品に光を照射し光合成反応などをコントロールして食品保存効果を得たり、還元糖を生成しビタミンＣを増やし栄養対策としたり、殺菌などの効果を得ようとするものである。この複数のダイオードを個別にあるいはグループに区分けして電源に並列に接続してそれぞれの発光させるものと発光させないものを設けること等によりエネルギーを多く使わずに、且つ、装置交換を不要とするような寿命の長く、無駄なエネルギーを使わない効率的な装置を得る制御をする構成を述べてきた。次に別の制御回路構成と動作を図２０以下で説明する。図２０は光照射装置を上記図７などとは別の方法で点灯させる際の電気回路図である。図２０のように各ＬＥＤ３４ａ、３４ｂ、３４ｃ、３４ｄと、ＬＥＤに流す電流値を決定する電流制限抵抗を直列に設け電流を数十ｍＡや数ｍＡに抑える。更に直列に設置するトランジスタの入力にＬＥＤのオンオフの周期にあわせてマイコンなどの制御装置から信号を出力することでＬＥＤの点灯と遮断を繰り返す電気回路を構成し、ＬＥＤを点灯させる際には、ちらつきを感じさせないような速い周期（例えば４ｋＨｚ程度）を１周期とし、その間、ＬＥＤへの通電／遮断を交互に行うようにしたものである。
【００５８】
また、トランジスタのオンオフを制御するマイコンなどの制御装置により通電／遮断の割合（通電率）は任意に調整可能とする。図２１はこの通電率すなわち１周期の間の通電時間の比率を示す図である。通電率を調整することで、光照射装置全体での照度の調整が可能になる。また、ＬＥＤの照度に対する寿命は、その通電時間に依存するが、この方法のように、ＬＥＤを点灯させ際にも遮断時間を設ければ、その分、ＬＥＤの寿命を延ばすことができる。また、通電／遮断の周期を人の目の感覚よりも速く設定することで、ＬＥＤの光がちらついて見えることを防ぐことができる。また、この電気回路にすると、さらに消費電流が小さくなるので、省エネルギー化が一層図れる。このような周期はあらかじめ設定しておき必要に応じて自由に選択する構成とすればよい。
【００５９】
また、通電時間が増加するにつれて、劣化によりＬＥＤの照度は低下してくるから、通電／/遮断時間の割合（通電率）を適宜調整することで、長期間にわたって、ＬＥＤの照度を一定に保つことが可能になる。図２２は通電率の変更例を示すタイムチャート図である。冷蔵庫の電源を投入すると、まずは初期の通電率６０％で点灯させる（ステップ５０）。電源投入後の使用時間が１年を経過した場合（ステップ５１）、通電率を７０％に変更する（ステップ５２）。使用時間が５年を経過した場合（ステップ５３）通電率を８０％に変更する（ステップ５４）。通電率・使用時間は使用する発光素子の種類・数量によって照度などの特性が異なるのでデータを把握して数値を選択すれば、常に必要な最低の照度を得られるように調整することが可能である。更に加えで図７で述べたような点灯する個数の変更と組み合わせることにより効率の良い装置が得られるだけでなく、冷蔵庫を使用している期間中に取替えが必要のない装置を得ることも可能である。なお上記図２２，２３等の説明のように運転時間に合わせて点灯させるＬＥＤの個数増加や通電率アップとする構成を説明してきたが、ＬＥＤの劣化にあわせ、すなわち個々のＬＥＤの照度低下にあわせ個数増加や通電率アップをすればよいので、例えば電流制限抵抗の一部を短絡させるスイッチを設けるなどにより照度を検出して変更したりする構成などでも良い。
【００６０】
図２０に記載された各ＬＥＤを直列とし早い周期でオンオフされる構成の光源装置を図４のように、透過性のカバー３５で一括して保護するものでも良い。これにより、冷蔵庫の振動によりその照射角度が変動しないように固定され、且つ、裏面は回路のショートをシール３６で覆い防止されるだけでなく、カバー３５内への露付きを防止するために、Ｏリング３８を挟み込むことにより密着度を上げ冷気を遮断し、実装基板３３の露付きや、水滴による光の乱反射を防止する。また、図１９のようにカバー３５は突起部３９を持ち、収納容器がカバー表面にぶつかることを阻止する形状をしており、カバー表面の傷つきによる光の乱反射や、実装基板３３、ＬＥＤ３４の破壊、故障を防止する。
【００６１】
図２０に記載された各ＬＥＤを直列とし人の目にちらつきを感じさせるより速い周期でオンオフされる構成の光源装置を図１８のように野菜室に別々に異なる特定波長のものを配置して一括した直列構成の制御を行っても良い。すなわち図１８のように野菜室３００の中に引き出し型の収納容器で小さな果物やトマトの大きさに適した３１ａ、３１ｂ、葉菜などの中間の大きさの野菜に適した３１ｃ、ペットボトルや大きめの野菜の保存に適した３１ｄが上から配置し素子３２a、３２ｂ、３２ｃは光照射装置でそれぞれの収納容器に異なる種類の特定周波数の光を照射することができる。このような構成をとることで、既に説明してきた光源による光照射と同様の効果を得ることができる。素子３２ｂだけを使用すれば、葉菜を収納容器３１ｃ、光照射に適さない根菜類を収納容器３１ａ、３１ｂに保存すれば、さまざまな種類の野菜保存にも対応できる。また、光照射装置３２を複数つける場合は黄色ＬＥＤで構成した光照射装置３２に加え、赤色ＬＥＤで構成した光照射装置３２、紫外線ＬＥＤで構成した光照射装置３２など色の違う光照射装置を設置し、光合成に適した葉菜類を赤色光のもとに、菌の繁殖を抑制したい食品を紫外線光のもとに、どちらともバランスよく効果のほしい食品は黄色光のもとに保存してもよい。このような複数の種類の異なる波長の光照射装置を常に点灯させるようにしても、霜取り時等に照度アップさせるなどの既に説明した制御内容と併用させればドア開放時の照明が可能で且つ視覚に与える悪い影響を抑えることが出来る。また、光照射装置３２単体内のＬＥＤ３４を複数種の色のＬＥＤ３４たとえば赤や青など異なった色のものでそれぞれ光照射装置３２を構成すれば、光照射装置単体でも複数の波長の光を発光することが可能になるので、野菜がさまざまな光形態形成を行うことを可能とし、光の色は赤色光単色よりも温かみを与えるものとなるので、製品としての見た目、保存した食品の見た目などが良くなる。以上説明してきた光源は実装基板３３に複数の光半導体であるLED素子を複数設け構造や配線を簡単化したが、1箇所の基板に1個のLED素子でも良いし、冷蔵庫の庫室に1個のLEDを配置する構成でも良い。
【００６２】
以上のようにこの発明の冷蔵庫は、赤や青を単色で使わないような組み合わせの構成とし、あるいは野菜など食品保存効果のある光源に対し深夜時間帯に照度アップさせる照明装置として、同一の周波数であろうと異なる周波数であろうと複数の特定周波数のＬＥＤを同時にあるいは別々の時間に点灯させたりあるいは消灯させる制御を行うので、無駄なエネルギーを使用させない制御を行うことにより、扉閉時だけでなく扉開時にも点灯させることにより照明として利用することも出来、野菜などの食品の見た目を損なわずに栄養分を増加させ、庫内灯として利用できるという効果を有する。更に、この発明の冷蔵庫の光源は、ＬＥＤを間欠照射させ、またその点灯をそれぞれのＬＥＤを瞬時もしくは所定のサイクルで切り替えたに点灯させないものを設けたり交互などに制御するなど省エネルギーできる制御により、ＬＥＤ寿命を延ばすことができるので効率が良い冷蔵庫が得られると言う効果を有する。また複数の種類の異なる特定波長のＬＥＤを収納する食品に応じ、すなわち庫室や棚ごとに準備し冷蔵庫内もしくは冷蔵庫外に設けられた操作手段の操作により、光源である光照射する半導体発光素子を選択し、光の波長を選択するスイッチを切り替えたり、あらかじめ設定された時間により個別にオフさせる事により使い勝手の良い冷蔵庫とすることが出来る。例えば庫内の温度調整パネルにＬＥＤ選択スイッチを設け、それぞれ波長の違うＬＥＤ基板を選択して点灯させることや１つのＬＥＤ基板に波長の異なる複数種類のＬＥＤを搭載してその中から点灯したい種類の波長のＬＥＤを選択して制御させるなど、ビタミンを増強させる栄養アップなどの目的に応じた波長のＬＥＤを選択してあらかじめ設定されている制御内容にて点灯をさせることができる。
【図面の簡単な説明】
【００６３】
【図１】この発明の実施の形態１における冷蔵庫を示す断面図である。
【図２】この発明の実施の形態１における野菜室内を示す斜視図である。
【図３】この発明の実施の形態１における光照射装置の波長分布図である。
【図４】この発明の実施の形態１における光照射装置を示す斜視図である。
【図５】この発明の実施の形態１における光照射装置のＬＥＤ波長と色の関係を示す表を示す図である。
【図６】この発明の実施の形態１における植物の光反応作用波長特性図である。
【図７】この発明の実施の形態１における光照射装置を示す回路図である。
【図８】この発明の実施の形態１における光照射装置基板を示す実装図である。
【図９】この発明の実施の形態１における光照射制御を示すフローチャート図である。
【図１０】この発明の実施の形態１における光照射制御を示すタイムチャート図である。
【図１１】この発明の実施の形態１における野菜試験の結果を示すグラフ図である。
【図１２】この発明の実施の形態１における別の野菜室内を示す斜視図である。
【図１３】この発明の実施の形態１における別の冷蔵庫を示す断面図である。
【図１４】この発明の実施の形態１における別の冷蔵庫を示す断面図である。
【図１５】この発明の実施の形態１における別の冷蔵庫を示す断面図である。
【図１６】この発明の実施の形態１における別の野菜室内を示す斜視図である。
【図１７】この発明の実施の形態１における別の冷蔵庫を示す外観図である。
【図１８】この発明の実施の形態１における別の野菜室を示す断面図である。
【図１９】この発明の実施の形態１における別の光照射装置を示す断面図である。
【図２０】この発明の実施の形態１における光照射装置を示す回路図である
【図２１】この発明の実施の形態１における通電率を示す図である
【図２２】この発明の実施の形態１における通電率の変更例を示すタイムチャート図である
【図２３】この発明の実施の形態１における通電率の変更例を示すフローチャート図である
【符号の説明】
【００６４】
１  冷蔵庫本体、１０  圧縮機、１１  冷却器、１２  ファン、１３  ダンパ、１４  風路、３０  収納容器、３１  第２の収納容器、３２  光照射装置、３３  実装基板、３４  ＬＥＤ、３５  カバー、３６  シール、３７  断熱部、３８  Ｏリング、３９  突起部、４０  光照射窓、１００  冷蔵室、２００  冷凍室、３００  野菜室、４００  切替室、５００  製氷室。
【図１】
2006017443.tif 000003
【図２】
2006017443.tif 000004
【図３】
2006017443.tif 000005
【図４】
2006017443.tif 000006
【図５】
2006017443.tif 000007
【図６】
2006017443.tif 000008
【図７】
2006017443.tif 000009
【図８】
2006017443.tif 000010
【図９】
2006017443.tif 000011
【図１０】
2006017443.tif 000012
【図１１】
2006017443.tif 000013
【図１２】
2006017443.tif 000014
【図１３】
2006017443.tif 000015
【図１４】
2006017443.tif 000016
【図１５】
2006017443.tif 000017
【図１６】
2006017443.tif 000018
【図１７】
2006017443.tif 000019
【図１８】
2006017443.tif 000020
【図１９】
2006017443.tif 000021
【図２０】
2006017443.tif 000022
【図２１】
2006017443.tif 000023
【図２２】
2006017443.tif 000024
【図２３】
2006017443.tif 000025